(57)【要約】【課題】荷電粒子露光装置を提供する。【解決手段】粒子ビーム投影処理装置において、投影システム（１０３）を使用して、ターゲットステージによって位置保持されたターゲット（４１）に、パターン決定手段（１０２）で提供されたパターンを撮像するために、ターゲット（４１）が、高エネルギー荷電粒子のビーム（ｐｂ）によって照射され、ターゲット自体以外の要素は、投影システムの光学素子の後方のビームの経路を遮断しない。ターゲット空間から投影システムへの汚染を低減するために、保護隔壁（１５）が、投影システムとターゲットステージとの間に設けられ、パターン化されたビームの経路を囲む中央開口部を有し、この場合、少なくとも、中央開口部を規定する隔壁の部分は投影システム（１０３）の後方のフィールドフリースペース内に配置される。【選択図】図１
2008112999.tif 000002
【特許請求の範囲】
【請求項１】
高エネルギー荷電粒子のビーム（ｐｂ）によってターゲット（４１）を照射するための粒子ビーム投影処理装置（１００）であって、
前記高エネルギー粒子を発生させて、実質的にテレセントリック／同心である照明ビーム（ｌｂ）に形成するための照明システム（１０１）であって、前記照明ビームの直径が、前記照明ビームのテレセントリック／同心領域の長さよりも少なくとも１桁大きい照明システム（１０１）と、
前記ビームの方向に沿って見た場合に前記照明システムの後方に配置されたパターン決定手段（１０２）であって、前記パターン決定手段が、前記照明ビームの経路の前記高エネルギー粒子に対して透過性の開口部からなる開口パターンを配置するように適合され、このようにして、前記開口パターンから出てくるパターン化されたビーム（ｐｂ）を形成するパターン決定手段（１０２）と、
前記パターン決定手段（１０２）の後方に配置され、かつ電界または電磁界を少なくとも１つの粒子光学レンズに成形するためのいくつかの光学素子を備える投影システム（１０３）であって、前記光学素子の各々が、前記パターン化されたビームの経路を囲む中央開口部を有し、前記投影システムが、前記開口パターンの最終画像を形成するように適合され、該最終画像が、前記投影システムの後方のフィールドフリースペース内に配置される投影システム（１０３）と、
前記投影システムの後方に配置され、かつ前記投影システムによって形成された最終画像の位置にターゲットを配置するように適合されたターゲットステージ手段（１０４）であって、前記ターゲット（４１）が、前記投影システムの最後の光学素子の後方において、前記パターン化されたビームの前記経路を遮断するための第１の物体であるターゲットステージ手段（１０４）と、
を備え、
前記投影システムと前記ターゲットステージ手段との間に配置され、かつ前記パターン化されたビームの前記経路を囲む中央開口部（ｄｗ）を有する第１の隔壁（１５、２５）であって、少なくとも、前記中央開口部を規定する前記第１の隔壁の部分が、前記フィールドフリースペース内に配置される第１の隔壁（１５、２５）をさらに備える
粒子ビーム投影処理装置（１００）。
【請求項２】
前記中央開口部は、前記パターン化されたビームを横方向に規定するように適合される
請求項１に記載の装置。
【請求項３】
前記第１の隔壁の前記開口部は、前記投影システムの前記最後の光学素子の前記中央開口部の幅（ｅｗ）よりも少なくとも５分の１小さい幅（ｄｗ）を有する
請求項１に記載の装置。
【請求項４】
前記投影システムは、前記パターン化されたビームを囲む中央開口部を有しかつ前記投影システムの光学素子の前方位置に配置されている第２の隔壁（１６、２６）を備え、
該第２の隔壁の前記中央開口部は、前記光学素子の前記中央開口部の前記幅よりも小さい幅を有する
請求項１に記載の装置。
【請求項５】
前記投影システムは、交差部（ｃ２）を通して前記パターン化されたビームを投影するように適合され、前記第２の隔壁が、前記交差部の位置でまたは該位置に近接して前記パターン化されたビームを囲む
請求項４に記載の装置。
【請求項６】
前記第１の隔壁（４５）は、前記ターゲットに前記ビームが衝突する位置の周囲の空間を規定し、また前記空間と周囲空間とを分割するように適合されたハウジング手段（４４）の構成要素であり、
前記ハウジング手段は、前記空間を真空にするためのポンプラインをさらに備える
請求項１に記載の装置。
【請求項７】
前記ハウジング手段は、前記ターゲットに前記ビームが衝突する位置に向けてガスを方向付けるためのガス入口ノズルをさらに備える
請求項６に記載の装置。
【請求項８】
前記投影システムは、電界を電気光学レンズ（２３）に成形するためのいくつかの電気光学素子を備える
請求項１に記載の装置。
【請求項９】
前記第１の隔壁は、前記ビームの方向に対して直角な横方向シフトによってのみ異なる種々の位置に装着されるように適合される
請求項１に記載の装置。
【請求項１０】
前記中央開口部は、アレイに配置された多数の開口部からなり、前記中央開口部の前記幅が、前記アレイの全幅によって構成される
請求項１に記載の装置。
【請求項１１】
前記中央開口部は、前記中央開口部の前記幅（ｄｗ）以下の厚さの膜部によって囲まれる
請求項１に記載の装置。
【請求項１２】
前記膜部は、前記中央開口部を粒子ビームが通過しているときに前記粒子ビームの運動エネルギーよりも低い閾値エネルギーよりも低い運動エネルギーを有する衝突粒子に対して透過性である
請求項１１に記載の装置。
【請求項１３】
前記投影システムの前記最後の光学素子の前記中央開口部の前記幅は、前記最後の光学素子から前記最終画像までの距離の４分の１よりも小さい
請求項１に記載の装置。
【請求項１４】
並列に配置された、請求項１に記載のいくつかの粒子ビーム装置を備えるマルチビーム投影処理装置（９００）であって、
前記装置は、いくつかの中央開口部を有する隔壁手段（９５）を有し、各中央開口部が前記隔壁手段の周囲領域と共に、それぞれの粒子ビーム装置の第１の隔壁を実現する
マルチビーム投影処理装置（９００）。
【発明の詳細な説明】
【技術分野】
【０００１】
本発明は、投影システムの後方に配置されたターゲットに、ＰＤ手段によってパターン化されたビームを投影するために、照明システムとパターン決定（ＰＤ）手段と投影システムとを備える、高エネルギー荷電粒子のビームによってターゲットを照射するための粒子ビーム投影処理装置の改良に関する。照明システムは、高エネルギー粒子を発生させて、その高エネルギー粒子を、好ましくはＰＤ手段の位置で実質的にテレセントリック／同心である(tele/homocentric)広域照明ビームに形成するように機能し、その広域照明ビームの直径は、照明ビームのテレセントリック／同心領域の長さよりも少なくとも１桁大きく、ビームの方向（すなわち下流）に沿って見た場合に照明システムの後方に配置されたＰＤ手段は、照明ビームの経路の高エネルギー粒子に対して透過性の開口部からなる開口パターンを配置し、このようにして、開口パターンから出てくるパターン化されたビームを形成し、またパターン決定手段の後方に配置された投影システムは、前記パターン化されたビームを投影する。
【背景技術】
【０００２】
この種類の処理装置の重要な１つの用途は、リソグラフィ装置として半導体技術に用いられる粒子ビームリソグラフィの分野にあり、この場合、基板表面の所望のパターンを規定するために、ウエハは照射感受性のフォトレジスト層で覆われ、所望の構造は、リソグラフィ装置によってフォトレジストに撮像され、次に、このフォトレジストは、先の露光ステップによって規定されたパターンに従った部分除去によってパターン化され、その次に、エッチングのようなさらなる構成処理のためのマスクとして用いられる。この種類の処理装置の他の重要な用途は、特に１００ｎｍ以下の特徴サイズを有するナノスケール装置を製造するかまたは機能させるために用いられる、直接イオンビーム材料の変更あるいはイオンビームエッチングおよび／またはイオンビーム蒸着によるナノスケールパターンの分野にある。
【０００３】
特許文献１に記載されているようなＩＭＳ概念のＰＬＭ２（要するに「投影マスクなしのリソグラフィ」）は、マルチビーム直接書き込みの概念を実現し、また単一電子源から抽出される電子ビームを構成するためのＰＤ装置として、プログラム可能な開口プレートシステム（ＡＰＳ）を使用する。ＡＰＳにおいて、電子の運動エネルギーは５ｋｅＶである。ＡＰＳの後方において、電子は１００ｋｅＶに加速され、またＡＰＳの画像は２００倍に縮小されて基板に投影される。
【０００４】
粒子光学システムにおいて、レンズおよび／またはＡＰＳおよび／または基板のような表面から散乱された粒子（電子またはイオン）は、広帯域のエネルギー散乱粒子（電子またはイオン）を発生させる可能性がある。特に、低エネルギー粒子（電子またはイオン）およびそれに関連する二次電子の放出により、残留ガスから吸着された原子または分子が表面に蒸着される化学作用が生じることがある。この理由から、例えば、真空照射の際に有機汚染が発生することによって、荷電光学システムにおいて極めて望ましくない絶縁層をしばしば形成する材料の蒸着を生じさせる可能性がある。また、ビームまたは大きな静電界によってイオン化された残留ガス原子を発生させることがある。二次電子およびイオンおよび散乱生成物の主因はターゲット自体である。これらの粒子は、電子光学システム（特に最後のレンズやＡＰＳも）を汚染する可能性があり、さらに、ウエハを間接的に照射する可能性があり、このようにして、画像のコントラストを低下させるかまたはＣＤ変異（ここで、ＣＤは化学蒸着を意味する）を生じさせるバックグラウンドドーズを形成する。以下において、間接照射は、例えば、対物レンズの下面によって（および／またはビームの近傍に配置されたステージ、測定システムまたはビーム診断装置から）散乱または再散乱される電子またはイオンの広範囲のエネルギーバンドにより生じる粒子の霧化と呼ばれる。再散乱とは、粒子が、以前に少なくとも１回、例えばビーム吸収要素または基板に衝突したときに散乱したことを意味する。粒子の霧化効果により、非局所的な追加の寄生露光が生じる。基板と対物レンズの下面との間の距離に応じて、霧化の横方向範囲はセンチメートルの範囲にあることができる。電子ビームリソグラフィの厳しいＣＤ均一性の要件を満たし、またこの追加のドーズを補償するために、適切なソフトウェアツールを用いて、極めて集中的な計算を行わなければならない（Ｐ．フデック（Ｐ．Ｈｕｄｅｋ）、Ｄ．ベイヤー（Ｄ．Ｂｅｙｅｒ）の非特許文献１を参照）。
【０００５】
さらに、粒子をコラム内に加速させることが可能であり、これに対して、主に、ＰＤシステムは、汚染に敏感であり、結果として、局所的な電荷効果の影響を受ける可能性がある。高いまたは極端に高い真空状態下においてのみ、ＡＰＳを実際に使用でき、さもなければ、有機材料のビーム蒸着によって、開口部が固着する。しかし、必要な高真空段階には、ＰＭＬ２のようなリソグラフィシステム全体における大きな技術的問題およびコスト要因がある。このことは、ＰＭＬ２のような粒子光学システムが、高いまたは極端に高い真空状態下にＡＰＳ（ＰＤ装置）を保持することに対して多大な重要性を有する。さらに、半導体製造環境の重要な問題は、開口プレートまたは電子源の部分の故障に起因するであろう相互汚染およびそれに関連するシステムの故障の危険性に関連する。半導体製造ラインに関する装置の受容性は、粒子の純度に対するシステムの信頼性と作動中の故障の危険性とに強く依存する。
【０００６】
特許文献２において、本出願人（譲受人）は、ＰＤシステムの後方のビームの領域において追加の箔電極を使用すること、すなわち、パターン決定手段と、投影システムによって形成された開口パターンの画像に近接するターゲットの位置との間の位置において、パターン化されたビームの経路を横切って配置された導電箔を使用することを提案している。画像は最終画像（ターゲットに形成された）または中間画像であり得る。上記箔が、ガス生成物または二次放射線のような汚染物質に対して効果的なバリアを形成することが明らかであるが、箔が、画像ビーム自体に対して厳しい障害となることも意味しており、それに応じて、画像ビームの強度を高くしなければならない。
【０００７】
特許文献３（ウォルデン（Ｗａｌｄｅｎ））は、真空室を有する電子ビーム照射装置を開示しており、前記真空室から、電子ビームが、耐圧膜を有する窓を通って出てくる。当該第１の膜の後方には、第２の窓膜が設けられ、このようにして、冷却ガス流が２つの膜の間を通過できる。第２の膜は、冷却ガス流のガスに対して不透過性である必要がなく、照射すべきおよび第２の窓膜の後方に配置すべき材料の表面にガス流が影響を与えることを防止するのに十分である。
【０００８】
【特許文献１】米国特許第６，７６８，１２５号明細書
【特許文献２】国際公開第２００６／０８６８１５号パンフレット
【特許文献３】米国特許第３，６２４，３９１号明細書
【特許文献４】英国特許第２３８９４５４Ａ号明細書
【特許文献５】米国特許第４，９８５，６３４号明細書
【特許文献６】欧州特許第０３４４６４６号明細書
【特許文献７】米国特許第２００５−０１０４０１３−Ａ１号明細書
【非特許文献１】Ｍｉｃｒｏｅｌ．Ｅｎｇ．８３（２００６年），７８０
【発明の開示】
【発明が解決しようとする課題】
【０００９】
本発明の目的は、パターン化されたビームの伝搬を阻止することなく、汚染物質および二次放射線（照射時にターゲットから出てくる可能性がある）が、投影システムおよび／または基板の粒子光学素子に到達することを抑制するための方法を提供することである。
【課題を解決するための手段】
【００１０】
この目的は、粒子ビームをターゲットに照射することによってターゲットを処理するための冒頭に述べたような粒子ビーム投影装置によって達成され、この場合、投影システムは、電界または電磁界を少なくとも１つの粒子光学レンズに成形するためのいくつかの光学素子を備え、前記光学素子の各々は、パターン化されたビームの経路を囲む中央開口部を有し、装置は、投影システムとターゲットステージ手段との間に配置され、かつパターン化されたビームの経路を囲む中央開口部を有する第１の隔壁をさらに備え、したがって、ターゲットは、投影システムの最後の光学素子の後方において、パターン化されたビームの経路を遮断するための（下流に見られる）第１の物体であり、また少なくとも、中央開口部を規定する第１の隔壁の部分は、投影システムの後方に配置されかつ最終画像が形成されるフィールドフリースペース内に配置される。本発明の関連において、フィールドフリースペースという用語は、荷電粒子電気光学レンズに寄与するであろう静電界または電磁界が存在しない領域のために用いられる。
【００１１】
以下において保護隔壁と呼ばれるこの隔壁(diaphragm)は、上記汚染物質がターゲット空間から光学コラム内の空間に逆方向に伝搬することがある領域が著しく縮小することにより散乱または再蒸着のような作用で生じる可能性がある基板からの光学システムの汚染、特に、戻り汚染を回避するように機能する。特に、高い電圧下にありかつ高い静電界強度を提供する電極、および精密回路（例えばＡＰＳの精密回路）は上記汚染物質に敏感である。好ましくは、隔壁の開口部の幅（半径の２倍）は、パターン化されたビーム、すなわち、テレセントリックビームによってターゲットに形成された最終画像の直径よりもほんの僅かに大きい。例えば、隔壁の幅は、２５μｍのビームの直径に対して５０μｍであることが可能であり、このようにして、ビーム配置の補正または２５μｍの範囲の走査範囲が可能になる。保護隔壁の厚さは、典型的に、保護隔壁の中央開口部の幅よりも５分の１〜１０分の１小さい。膜状構造の利点は、帯電または粒子散乱のような側壁の影響が最小限になることである。
【００１２】
さらに、保護隔壁は、ターゲット空間と、差動的にポンピングし得る光学コラムとの間の追加の分割手段として機能することが可能である。
【００１３】
本発明の有利な一発展形態では、中央開口部は、パターン化されたビームを横方向に規定するように適合される。このことは、ターゲットから再散乱された粒子の横方向分布を制限するように機能し、このような粒子は、保護隔壁の中央開口部の内径によって制限される。
【００１４】
第１の隔壁の開口部は、投影システムの最後の光学素子の中央開口部の幅よりも少なくとも５分の１小さい幅を有することが好ましい。
【００１５】
光学コラム内への粒子の伝搬をさらに阻止するために、投影システムは、パターン化されたビームを囲む中央開口部を有しかつ投影システムの光学素子の前方位置に配置される第２の隔壁をさらに備えることが可能である。この場合、第２の隔壁の中央開口部は、前記光学素子の中央開口部の幅よりも小さい幅を有することが適切である。
【００１６】
投影システムが、交差部を通して、パターン化されたビームを投影するように設計されている場合、第２の隔壁が、交差部にまたはそれに近接して、パターン化されたビームを囲む位置に第２の隔壁を配置することが適切な選択である。
【００１７】
さらに、第１の隔壁は、ビームがターゲットに衝突する位置の周囲の空間を規定し、また前記空間と周囲空間とを分割するように適合されたハウジング手段の構成要素であることが可能であり、この場合、ハウジング手段は、前記空間を真空にするためのポンプラインをさらに備える。このことは、特に、ハウジング手段が、ターゲットにビームが衝突する位置に向けて処理ガスのようなガスを方向付けるためのガス入口ノズルをさらに備えることが可能である場合、ターゲットおよび／またはビーム衝突位置の周囲の別個のガス状態を規定するのに役立つ。
【００１８】
一般に、投影システムは、粒子光学レンズを成形するために静電構成要素および／または電磁構成要素を備えることが可能である。特定の場合において、投影システムは、電界を電気光学レンズに成形するためのいくつかの電気光学素子（静電特性の）を備える電気光学システムであり得る。
【００１９】
第１の隔壁は、横方向に再配置可能であり得るので、ビームの方向に対して直角な横方向シフトによってのみ異なる種々の位置に前記第１の隔壁を装着できる。
【００２０】
多数のビームレットからなるビーム構成（例えばＰＭＬ２構成のような）が用いられた場合、中央開口部は、アレイに配置された多数の開口部からなり得る。この場合、中央開口部の幅は、前記アレイの全幅によって構成される。
【００２１】
本発明の１つの特別な発展形態は、中央開口部の幅以下の厚さの膜部で中央開口部を囲むことによって、中央開口部の周囲に配置された部分的に透過する膜を実現する。この場合、膜部は、好ましくは、粒子ビームが中央開口部を通過しているときに粒子ビームの運動エネルギーよりも低い閾値エネルギーよりも低い運動エネルギーを有する衝突粒子に対して透過性であり得る。この措置によって、基板から放出された低エネルギー粒子は、部分的に透過する膜によって吸収され、これに対して、高エネルギー粒子（すなわち、ビームエネルギー自体）は透過される。
【００２２】
投影システムの最後の光学素子の後方において、明確なフィールドフリースペースを保証するために、前記最後の光学素子から最終画像までの距離の４分の１よりも小さい投影システムの最後の光学素子の中央開口部の幅を有することが適切である。
【００２３】
図面を参照して、本発明について以下により詳細に説明する。
【発明を実施するための最良の形態】
【００２４】
以下に説明する本発明の好ましい実施形態は、本出願人（譲受人）の特許文献１（＝特許文献４）に開示されているようなパターン決定（ＰＤ）システムを有し、かつ大型の縮小投影システムを有するＰＭＬ２型の粒子ビーム露光装置に基づく。以下において、最初に、本発明に関する限り、装置の背景技術について説明し、次に、本発明の実施形態について詳細に説明する。本発明が以下の実施形態にもＰＤシステムにも限定されず、以下の実施形態およびＰＤシステムが、本発明の可能な実装の１つを示しているに過ぎず、本発明が、投影ステージで粒子ビームを用いる他の種類の処理システムにも適切であることを理解されたい。
【００２５】
ＰＭＬ２システム
本発明を使用しているマスクなしの粒子ビーム露光装置ＰＭＬ２の概略図が図１に示されている。以下において、本発明の開示の必要に応じて、それらの詳細のみが記載され、分かりやすくするために、構成要素は、図１に寸法通りには示されておらず、特に、粒子ビームの横幅が拡大されている。さらなる詳細については、特許文献１を参照されたい。
【００２６】
既述したように、照明システムによって発生される電子ビームがＰＭＬ２システムに用いられる。照明システムは、ターゲット表面に投影すべきビームパターンを規定するために、規則的な開口部のアレイを有するＰＤ手段を照明する。各開口部では、小ビームが規定され、またそれぞれの開口部を通ってターゲットに向かう粒子ビームの通過を可能にする（「行う」(switch on)）かまたは効果的に遮断する（「阻止する」(switch off)）ように、開口部への各ビームの通過を制御できる。開口部のアレイを透過する（またはより正確には、アレイの通過可能な開口部を通過する）ビームは、開口部の空間構成によって表されるようなパターン情報を伝えるパターン化された粒子ビームを形成する。次に、パターン化されたビームは、粒子光学投影システムによってターゲット（例えば半導体基板）に投影され、ここで、このようにして、開口部の画像が、照射された部分のターゲットを修正するように形成される。ビームによって形成された画像は、各ダイ領域の上方の直線路に沿って連続的に移動される。走査方向に対して直角方向のビームの追加の走査は不要である（必要な場合、走査ステージの横移動動作エラーを補償することを除いて）。
【００２７】
装置１００の主構成要素は、本実施例において図１で垂直に下方に延びるリソグラフィビームｌｂ、ｐｂの方向に対応する、照明システム１０１、ＰＤシステム１０２、投影システム１０３、およびターゲットまたは基板４１を有するターゲットステーション１０４である。粒子光学システム１０１、１０３は、静電レンズまたは電磁レンズを使用して実現される。装置１００の電気光学部１０１、１０２、１０３は、装置の光軸ｃｘに沿ったビームｌｂ、ｐｂの伝搬が阻止されないことを保証するために高真空に保持された真空ハウジング（図示せず）内に収容される。
【００２８】
照明システム１０１は、例えば、電子源１１とコンデンサレンズシステム１３とを備える。しかし、電子の代わりに、一般に、他の荷電粒子も用いることができることに留意されたい。電子銃から放出される電子は別として、これらの電子は、例えば、水素イオンまたは重いイオンであることができ、本開示に関連して、重いイオンは、Ｃよりも重い元素、例えば、Ｏ、Ｎ、または希ガスＮｅ、Ａｒ、Ｋｒ、Ｘｅのイオンを指す。
【００２９】
電子源１１（原則としてイオンも可能である）は、すなわち、例えばΔＥ＝１ｅＶの比較的小さなエネルギー分散を有する典型的に数ｋｅＶ（例えば、ＰＤシステム１０２で５ｋｅＶ）の規定された（運動）エネルギーを有する高エネルギー電子を放出する。電気光学コンデンサレンズシステム１３によって、電子源１１から放出された電子は、リソグラフィビームｌｂとして作用する実質的にテレセントリックの広域電子ビームに形成される。ビームのテレセントリックは、ＰＤ装置の位置の光軸から±２５μｒａｄの範囲の偏差内にあり、ここで、縮小システムが２００×であり、またＰＤ装置および基板の粒子エネルギーが等しいと仮定すると、基板の位置の光軸から±５ｍｒａｄのテレセントリック範囲の偏差が生じる。
【００３０】
次に、リソグラフィビームｌｂは、位置を保持する必要がある装置と共にＰＤシステム１０２を形成するＰＤ装置を照射する。ＰＤ装置は、リソグラフィビームｌｂの経路の特定の位置に保持され、このようにして、前記リソグラフィビームは、複数の開口部２１によって形成された開口パターンを照射する。既述したように、ビームレットがそれぞれの開口部を通過してターゲットに到達することを可能にすべく、開口部の各々を「通過可能」にするかまたは「開放」することができる（ここで、開口部が入射ビームに対して透過性であることを述べておく）。さもなければ、開口部は「通過不能」であるかまたは「閉鎖」され、この場合、それぞれのビームレットが、ターゲットに到達できる前にビーム経路から吸収され、さもなければ除去されるように、それぞれのビームレットのビーム経路が影響を受ける（このようにして、開口部は、ビームに対して効果的に不透過性であるかまたは不透明である）。通過可能な開口部のパターンは、基板に露光すべきパターンに従って選択され、これらの開口部は、ビームｌｂに対して透過性のＰＤ装置の唯一の部分であるので、このようにして、前記ビームｌｂは、開口部から出てくるパターン化されたビームｐｂ（すなわち、図１でＰＤシステム１０２の下方にある）に形成される。ＰＤ装置の構造および作動、特に、ＰＤ装置のブランキングプレートの構造に関する詳細については、（特許文献１）を参照されたい。図１には、５つのみのビームレットが、パターン化されたビームｐｂで示されており、ここで、左から２番目のビームレットは、吸収プレート１７に吸収されるように阻止され、他方、通過可能なビームレットは、プレート１７の中央開口部を通過し、このようにして、ターゲットに投影される。
【００３１】
次に、パターン化されたビームｐｂによって表されるようなパターンは、電気光学投影システム１０３によって基板４１に投影され、この電気光学投影システムにより、通過可能なマスク開口部の画像が前記基板に形成される。投影システム１０３により、例えば２００×の縮小が実現される。基板４１は、例えば、フォトレジスト層で覆われたシリコンウエハである。ウエハ４１は、ターゲットステーション１０４のウエハステージ４０によって保持および配置される。
【００３２】
図１に示されている本発明の実施形態では、投影システム１０３は、交差部ｃ１、ｃ２をそれぞれ有する連続する２つの電気光学投影ステージからなる。静電画像システムの技術的実現が、例えば、本出願人の特許文献５（＝（特許文献６））のような従来技術で周知であるので、プロジェクタを実現するために使用される静電レンズ３３は、符号形態のみで図１に示されている。第１の投影ステージは、ＰＤ装置の開口部の面を中間画像に撮像し、次に、この中間画像は、第２の投影ステージによって基板表面に撮像される。両方のステージにより、交差部ｃ１、ｃ２を通して縮小画像が用いられ、このようにして、中間画像が反転されている間、基板に形成される最終画像は垂直である（反転されない）。縮小係数は、両方のステージについて約１４×であり、全体で２００×の縮小が生じる。このオーダの縮小は、特に、ＰＤ装置の小型化の問題に対処するために、リソグラフィ設定で特に適切である。
【００３３】
小さな横方向シフトを画像に、すなわち、ビームｂｐ自体の横幅以下の大きさだけ、光軸ｃｘに対して直角方向に沿って導入するための手段として、投影ステージの一方または両方に、偏向手段（図示せず）を設け得る。このような偏向手段は、例えば、多電極システムとして実現することができ、（特許文献１）で説明されているように、必要な場合、さらに、磁気コイルを使用して、基板面のパターンの回転を発生させることが可能である。電気光学レンズは、主に、静電電極からなるが、磁気レンズを使用することも可能である。
【００３４】
ＰＤシステム１０２に形成されたパターンを制御することによって、任意のビームパターンを発生させて基板に転送することができる。基板が入射ビームの下に移動される走査ストライプ露光方法が適切に利用されるので、ビームの位置が永続的に変更され、このようにして、ビームが、単一の集光ビームシステムの場合と同様に、（ほぼ静止している）ターゲット表面にわたって効果的に走査されるビーム走査方法が不要である。
【００３５】
保護隔壁
再び図１を参照すると、以下で「保護隔壁」とも呼ばれる隔壁手段１５は、光学コラムの後方のおよびターゲット空間の前方のフィールドフリースペースに設けられる。このようにして、保護隔壁１５は、ターゲットにわたる空間（「ターゲット空間」）と光学システムとを分割し、また狭い開口部の開口直径が基板位置のビーム寸法のオーダである狭い開口部を有する。保護隔壁の直径は、後方散乱粒子および二次粒子（図１の短い破線矢印）が、多数の電極の側壁に到達することを排除するようにできるだけ小さく適切に選択される。このことは、ビームの位置が、ほとんど変化せず、本発明による保護隔壁１５を設けることが実現可能な光学コラムに対してほぼ固定されるということに起因する。
【００３６】
図２は、最後の電気光学レンズの電極２３の下方の保護隔壁２５およびその幾何学的構成の縦断面詳細図を示している。保護隔壁は、装着リング２４に装着され、また取り外し可能な廃棄部として容易に交換できる。
【００３７】
図６ａ、図６ｂおよび図６ｃは、保護隔壁の好ましい実装を概略縦断面図として示している。図６ａに示されている第１の別形態６５ａは、所望の厚さの吸収膜６１ａを形成するようにウエハの内側部分が薄くなっているウエハである。幅ｄｗ１の中央開口部６０ａにより、ビームの通過が可能になる。
【００３８】
霧化の低減をさらに向上させるために、特に、低エネルギー粒子が、再散乱後に基板に到達することを回避するために、部分的に透過する膜が中央開口部の周囲に近接する範囲に存在するように、保護隔壁を形成できる。図６ｂは、このような部分的に透過する膜６２を有する別形態６５ｂを示している。第１の別形態とは対照的に、中央開口部６０ｂは、より小さい幅ｄｗ２を有すると共に、膜６１ｂよりも一層薄くなっており、このようにして、部分的に透過する膜を形成する部分６２によって囲まれる。
【００３９】
図６ｂの隔壁６５ｂにおいて、中央開口部の幅ｄｗ２を、図６ａの別形態と比較してより小さく形成でき、ここで、部分的に透過する膜により、ビームが、膜に接触することなく基板に到達することが可能になる。部分的に透過する膜６２により、基板から来る粒子が、それほど後方散乱することなく膜に侵入することが可能になり、これにより、膜から生じる追加の寄生露光が発生する。しかし、対物レンズおよびそれに関連する輪郭の下面で（および／またはビームの近傍に配置されたステージ、測定システムまたはビーム診断装置から）再散乱された、侵入の閾値エネルギーよりも低い運動エネルギーを有する粒子は、部分的に透過する膜によって吸収される。したがって、部分的に透過する膜６２は、再散乱工程によって基板に到達する全ての粒子の流れをさらに低減するように機能する。
【００４０】
図６ｃは、中央開口部が開口部のアレイ６０ｃに細分化される他の別形態６５ｃを示している。ビームレットアレイの形状と膜の機械的安定性とに応じて、１つの（通過可能な）ビームレットまたは一群のビームレットのために、開口部の各々を設計し得る。関連する幅ｄｗ３はアレイ６０ｃの全幅である。この別形態６５ｃは、図６ｂの別形態６５ｂに基づいているが、部分的に透過する膜なしの別形態６５に由来することも可能である。
【００４１】
特に、隔壁装置が、リソグラフィシステムの光軸に対して偏心して装着された場合に、中央開口部６０ａ、６０ｂ、６０ｃを必ずしも隔壁装置の中央内に配置する必要がないという価値があることに留意されたい（用語「中央」は、光軸に対する位置を指す）。
【００４２】
図７は、霧化によって生じる３種類のドーズ分布を示している。垂直軸はドーズを表し、水平軸は横方向変位であり、ここで、垂直な矢印はビーム（光軸）を示しており、両方の軸は任意の単位にある。Ｄ０は、本発明による隔壁なしに存在するバックグラウンドドーズである。Ｄ１ａは、隔壁６５ａによるバックグラウンドドーズであり、またＤ１ｂは、部分的に透過する膜を有する隔壁６５ｂによるバックグラウンドドーズである。粒子の霧化に関する本発明の主な改良は、ドーズ分布Ｄ１ａとＤ１ｂが、コンボリューション関数であり、すなわち、有効な状態（例えば、粒子の霧化を生じさせる表面の形状および構造）によって提供された開口部およびポイント分散機能によるドーズ分布ステップ関数のコンボリューションから生じることである。ガウス型の分布Ｄ０とは対照的に、コンボリューション関数Ｄ１ａとＤ１ｂは、基板に見られるように、保護隔壁の開口部によって規定された空隙領域外における有限値からゼロまでの霧化ドーズの明確かつ急速な減少を生じさせる。最新技術によるドーズ分布を表す分布Ｄ０は、衝突するビーム位置から等しいセンチメートルの距離にある関連する非ゼロ値を表示している。結果として、基板にわたって走査している間の集積ドーズは基板のパターン密度分布の合成関数であり、有効な状態（例えば、霧化の性質の異方性）を正確に考慮しなければならない。このことは、最新技術において、再散乱された粒子により、さらに隣接するダイ領域に大きな影響を与えることが可能であり、すなわち、本発明による保護隔壁を使用することによって克服される状況であることを意味する。
【００４３】
図８は、種々の典型的な後方散乱過程、すなわち、基板で後方散乱された、保護隔壁の吸収膜で停止された、および保護隔壁の部分的に透過する膜に侵入している／それに吸収されている粒子（例えば、軽いイオンまたは電子）の模範的な軌道を示している。粒子ｐ１は、ターゲットから蒸発または離脱され、また保護隔壁の下面で、この場合、部分的に透過する膜で停止される。粒子ｐ２は、対物レンズ電極の下面から再散乱されて、吸収膜によって停止され、一方、粒子ｐ３は再散乱されて、さらに、部分的に透過する膜に侵入する。粒子ｐ４は、対物レンズ電極の下面から再散乱されて、部分的に透過する膜によって停止される。最後に、粒子ｐ５はレンズ電極から再散乱されるが、そうでなければ、ｐ２と同一の動作である。
【００４４】
保護隔壁の形状
基板と保護隔壁と対物レンズの下面との間の開口直径および距離について、２つの例を分類することが適切である。
１）軽いイオンおよび電子の使用
この場合、制御すべき主な影響は、後方散乱された粒子と光学システムの重要な要素との望ましくない衝突、および／または基板から蒸発されるかまたはガス放出する材料の蒸着による光学システムの汚染である。さらに、基板における粒子の霧化の強度を大幅に低減できる。吸収膜を使用することにより、再散乱された粒子およびビーム自体の拡散部が、開口直径によって制限された領域外の基板に到達することが防止される。吸収膜と共に、部分的に透過する膜を使用することにより、基板から来る（例えば、ガス抜け、離脱によって）低エネルギー粒子および成分が、光学システムの重要な要素に到達することを防止することがさらに可能になり、一方、高エネルギー粒子が、部分的に透過する膜に侵入することが妨げられない。これらの高エネルギー粒子の流れは、対物レンズの下面から再散乱された後に、同一の吸収膜を反対方向に通過したときに大幅に希釈される。
【００４５】
したがって、基板と保護隔壁との間の短い距離、および吸収膜の開口部の直径をできるだけ大きく選択することが極めて適切である。部分的に透過する膜の開口部は、できるだけ小さく選択される。例えば、ビームの直径が２５μｍであり、また最後の電極と基板との間の距離（＝隔壁を不使用の場合の作用距離）が２ｍｍであった場合、隔壁２５は、基板よりも０．１ｍｍ高い位置に配置することが可能であり、また約１ｍｍの吸収膜の開口直径ｄｗと、５０〜１００μｍの部分的に透過する膜の開口直径とを有する。吸収膜の厚さは、ビームエネルギーに応じて５〜５０μｍであり得る。例えば、１００ｋｅＶの電子ビームの場合、再散乱後の最大可能なエネルギーは１００ｋｅＶであり、またＳｉの侵入深さは５０μｍを僅かに上回る範囲にある。侵入深さを浅くするために、重金属（例えば、Ｍｏ、Ｐｔ、Ａｕ）成分を有する薄膜コーティングを使用することが有用であり、これに対して、コーティングは、再散乱された粒子を吸収すべき表面に製造される（典型的に、この上面は対物レンズの下面に対面している）。基板から光軸に沿って保護隔壁の中央開口部を通して放出される粒子は、光学システム内部の第２の隔壁１６によって停止されるので、汚染を生じさせない。部分的に透過する膜の厚さは、１００〜５０００ｎｍであり、典型的に、原子量と粒子エネルギーとに依存する衝突の平均自由行程よりも短くてもよい。例えば、１００ｋｅＶの電子について、Ｓｉから製造された部分的に透過する膜の厚さは、電子のために５〜１０ｋｅＶの閾値エネルギーを実現するために約１０００ｎｍであろう（すなわち、実質的に全ての粒子は、侵入なしに膜の内部に吸収される）。しかし、薄膜の主な目的は、荷電粒子光学システムの汚染を回避するために、例えば耐ガス放出性成分のような、基板側から来る遅い粒子を吸収することである。
２）重いイオンおよびクラスタの使用
この種類の粒子について、保護隔壁によって制御すべき主な影響は、対物レンズのレンズ素子または保護隔壁自体を汚染し得る、基板からのスパッタリング材料の再蒸着である。さらに、保護隔壁により、精密な光学素子が、基板からの（後方）散乱イオンによって損傷することを防止する必要がある。関連のエネルギー形態について、イオンの侵入深さは、非常に浅く、典型的に、１０〜５０ｎｍである。したがって、重いイオンおよびクラスタについて、保護隔壁の主な目的は、対物レンズに対する基板から見られるようなビュー角度にできるだけ縮小することである。このため、基板と保護隔壁との間の距離はできるだけ大きく選択され（このようにして、隔壁の寿命に好影響を与える（後方）散乱されたイオンの流れが希釈され）、また保護隔壁の開口部の直径はできるだけ小さく選択される。例えば、ビームの直径が２５μｍであり、また最後の電極と基板との間の距離（隔壁を不使用の場合の作用距離）が２ｍｍであった場合、隔壁は、基板よりも１．５ｍｍ高く配置することが可能であり、また約５０〜１００μｍの開口直径を有する。吸収膜の厚さは５〜５０μｍであり得る。示されている寸法について、同一の保護隔壁２５（図９ａに示されているような種類７５の）は、保護隔壁のために用いられる化学元素が、投射物よりもはるかに小さな原子量を有している場合、粒子の霧化に対して有効な保護の機能を有し、この場合、粒子の再散乱は、運動量保存によって不可能である。保護隔壁の小さな開口部を通して光軸に沿って放出される散乱粒子またはスパッタリング粒子は、保護隔壁とプレートとの間の距離のような再散乱を生じさせず、これによって、粒子は、最終的に、少なくともより大きく、少なくとも１ｍｍよりも大きく停止／後方散乱される。
【００４６】
保護隔壁の開口直径ｄｗは、典型的に、好ましくは１０の係数だけ、最後の電極の開口部の幅ｅｗよりもはるかに小さい。距離の典型的な値は１ｍｍであることが可能であり、このようにして、５０〜１２５ｍｒａｄに対する２５μｍの画像領域ｆｗについて、ビュー角度２α＝ｄｗ／ｚｄが制限される。重要なことについて述べると、保護隔壁１５は、ターゲットに形成されたビームスポットの形状を規定しないので、コンタクトマスクではない。
【００４７】
本発明によって説明されているような保護隔壁を使用することにより、少なくとも５の係数だけ（保護隔壁の開口部と再散乱の有効面積との比率に応じて）、霧化に関連する総ドーズ量が著しく低減される。さらに、上記保護隔壁は、霧化によって生じるバックグラウンド強度の横方向範囲を保護隔壁の吸収膜の開口部の大きさに制限する。
【００４８】
保護隔壁の吸収膜の開口部の最適な大きさは、基板からの膜の距離に依存する。衝突粒子の入射軸に対する放出された粒子の角度の余弦分布を想定した場合、幅ｄｗと距離ｚｄとの比率（図４を参照）は典型的に１０：１であることが可能であり、このことは、角度領域０°〜８５°（ここで、０°は、垂直面に対して平行であることを意味する）の後方散乱された粒子が、対物レンズおよびそれに関連する輪郭の下面からの再散乱に寄与し、また８５°〜９０°の角度領域のみにより、基板に近接する膜からの再散乱が生じ、これによって、後方散乱された粒子の合計が０．５％になることを意味する。
【００４９】
対物レンズおよびそれに関連する輪郭の下面の構造および組成は、再散乱された粒子の大部分が、閾値エネルギーよりも低い運動エネルギーを有するように選択されることが明らかである。このことは、多数の衝突の可能性を高くするように、深い侵入を可能にする低密度の軽い材料（例えば多孔質材料）を選択するような措置によって達成することができる。
【００５０】
シリコン炭素またはダイヤモンド炭素のような軽い元素の材料から、部分的に透過する膜を製造し得る。膜の厚さは、典型的に、荷電粒子投射物のエネルギーおよび質量に応じて１００〜５０００μｍであることが可能である。したがって、実質的に全ての後方散乱電子は、基板から対物レンズおよびそれに関連する輪郭の下面までの前記後方散乱電子の過程において、部分的に透過する膜を通過する。再散乱された電子は、広い領域にわたって分布され、また広いエネルギー分布を有し、保護隔壁の開口部の内部の前記電子のみが霧化を生じさせ、これに対して、閾値エネルギーよりも低いエネルギーが、膜によって完全に抑制される。
【００５１】
保護隔壁１５は、具体的には、高い電界強度にさらされる静電レンズの輪郭のような精密な領域を損傷することを回避するか、またはマイクロメートルを下回る範囲の正確な形状安定性を必要とするように設計される。
【００５２】
既述したように、保護隔壁１５は、画像システムのために用いられる静電界または磁界の存在なしに、光学コラム１０３と基板４１との間に配置される。したがって、保護隔壁に侵入する粒子は偏向されない。しかし、二次電子が隔壁から離れることを防止するように、小さな電位（範囲＜３０Ｖ）を印加することが可能である。後方散乱または「霧化」によって、二次電子（すなわち、残留ガス原子による散乱によって所望の方向から外れているか、あるいは対物レンズまたはそれに関連する輪郭の下面によって再散乱される粒子）を上面および下面の両方に発生させ得る。
【００５３】
基板の露光工程中に、基板は、パターン化すべき領域にわたるビームの相対移動を得るように基板を移動させることによってパターン化され、これに対して、基板の位置は、測定システムによって測定され、またこのようにして公称位置（理想位置）から測定された位置の偏差は、ビームトラッキング制御システムによって補正され、このために、ビーム配置の補正は、多極偏向器によって適用される。しかし、パターン化されたビームは、粒子光学システムに対して実質的に静的である。この関連において、（横方向）ビーム配置の補正が、本実施形態の場合において小さいマイクロメートル範囲（５〜２０μｍ）にある走査ステージの精密さにより、保護隔壁の位置で、大きなビーム配置の変更を必要としないという価値があることに留意されたい。
【００５４】
保護隔壁の開口部の形成
本発明のおかげで、「自動制御決定手順」と呼ばれ得る手順に従って、ビーム自体によって、保護隔壁をパターン化することが可能である。隔壁の開口部の決定および製造、特に、光軸に対する開口部の形状、直径および位置について、図３に示されているような以下の手順が便利である。薄膜（図９ａと図９ｂに示されている種類と同様の）は、横方向ドリフトに対して安定しているマウントを使用して、例えば、膜フレームとホルダ支持構造との間の適切な圧力を発生させる摩擦バネによって、光学系と予定の基板位置との間の基板位置から所望の距離に配置される。ビームをスイッチオンすることによって、最初に、膜は、ビームが膜を通してエッチングまたはスパッタリングされるまで（図３の中間部）、ビームを停止させる（図３の上部）。横方向の小さな範囲だけ、典型的に、移動している基板を追跡するのに必要な予想された走査範囲で２〜３回だけ、ビームエンベロープをシフト制御することは、膜を通して開口部の所望の直径を実現するのに役立ち（図３の下部）、このようにして、ビームは、全ての場合において、作動中に膜の側壁からの少なくとも膜の厚さの距離を有する（そうでなければ、散乱およびスパッタリングにより、画質が低下される）。工程の終了時に、ビームが全ての組の方向を通って伝搬された場合、ビームエンベロープは、ビーム源の方向から見て膜には衝突しない。
【００５５】
システムが、横方向位置の再調整を必要とせず、膜構造全体の交換のみを必要とするので、自動制御決定手順により、システムにおいて、面倒な機械作業を必要とすることなく、保護隔壁を消耗品として交換することが可能になる。特に、十分に大きな横方向移動だけ膜を移動させることによって、膜を「再利用」し、次に、使用中の開口部が、ビームとその二次粒子とによって劣化されると、新たな開口部を製造することが可能である。この場合、保護隔壁を幅ｄｗの開口部のアレイとして予め構成することも可能である。
【００５６】
分割された(segregated)ターゲット空間
図４を参照すると、保護隔壁は、他の要素に関連して、光学コラム（例えば、それ自体のポンプライン４３０によってポンピングされる）と基板の光学コラムとの間の真空空間を分割するように機能することが可能であり、これに対して、差動ポンピングは、光学コラムの内部の処理ガスの分圧を効果的に低下させる。保護隔壁４５を中央部として組み込んでいるターゲット空間ハウジング４４には、ポンプライン４４０だけでなく、処理ガス等のためのガス供給ライン４４１も設けることが可能である。図４では、ガス入口４４１は、反応室の内部の均一性を一般に向上させる入口管として実現される。
【００５７】
ターゲット空間ハウジングのおかげで、ターゲット空間を反応室として実現し得る。基板および走査システムは、室（図示せず）内に完全に配置することが可能であるか、または反応室は、基板の部分のみを覆い、図１に示されているような基板に対して真空封止される。ウエハまたはマスクブランクのような大きな基板では、例えば、反応室と基板との間の小さなスリットによって（例えば、直径１ｍｍ、距離５μｍ、および容量性距離検出器または光学的距離検出器と、フィードバックループを有する垂直アクチュエータシステムとによって制御された距離だけ）、基板に対して反応室を封止することが有利である。
【００５８】
図５に示されている別形態では、ガス入口をガスノズル５４１として実現することも可能である。このようなガスノズルシステムにより、典型的に、ビーム発生工程を可能にするかまたは改善するために用いられるガスアシスト化学処理を用いることが可能になる。
【００５９】
内部停止隔壁
好ましくは、保護隔壁１５の保護効果をさらに向上させるために、図１と図２に示されているように、光学投影システム３３内の「内部停止隔壁」（ＩＳＤ）として第２の隔壁１６、２６を設け得る。既述したように、光学コラムの負方向（図面の上部）に移動する、基板の位置のビームによって放出された（散乱または離脱のような工程により）全ての粒子が、コラムの制限領域にのみ到達するように、ビュー角度２αを制限すべく、保護隔壁１５が最後の光学レンズ素子と基板との間に適切に配置される。ここで、この領域には、最後の投影ステージの交差部ｃ２にまたはその近傍に配置されたＩＳＤ１６、２６を備え得る。図１には、ＩＳＤ１６が、中央に穴の開いた平面装置として示されており、これに対して、前記ＩＳＤの実際の形状は異なってもよく、例えば、図２に示されているカップ形状２６であってもよい。交差部ｃ２を幾何学的に囲むリング開口部１７、２７は、中央孔を有する簡単な平面プレートよりも複雑な形状を有し得ることにも留意されたい（リング開口部１７、２７は、交差位置を通して収束しないビーム部、大部分は特に、通過不能なビームレットを遮断するように機能する）。一般に、ＩＳＤの汚染速度は、基板からの距離が長いので、むしろ遅くなる（ビームの直径は小さいので、基板から放出された粒子の強度は、距離の二乗だけ減少する）。
【００６０】
また、ＩＳＤは、交換可能な装置であることが適切である。それぞれの表面の化学的な、物理的な、構造的なまたは地形的な変化を意味する汚染によるシステムの故障を回避するために、ＩＳＤ２６を清掃および修理できる。
【００６１】
最も繊細な構造を有するパターン決定装置１０２と基板４１との間の距離は、一般に、本発明で考慮されるような大きな縮小光学系のために長く、典型的に、保護隔壁と基板との間の距離ｚｄよりも少なくとも２０倍長い。したがって、ＩＳＤ１６の中央開口部を通ってＩＳＤ１６にも侵入し、最終的には、パターン決定装置に到達する汚染粒子の流れの強度は、無視できる値（１／２０２、１％よりもかなり低い）に著しく低減される。
【００６２】
好ましい実施形態では、ＩＳＤ１６および吸収プレートは、規則的な周期間隔中に変更できる単一の装置（吸収プレートがＩＳＤ１６の上部によって形成される）として実現される。
【００６３】
図３に示されているように、電流検出システムに関連して、基板に向かって方向付けられる保護隔壁の表面を二次電子検出器として使用することも可能である。このために、任意の２Ｄ配列の検出電極の角度部分（図面の下部を参照）が形成されるように、例えば、二次電子放出の角度決定を可能にするように、半導体技術によって、表面を構成し得る。これらの検出電極と接触パッドとの間の相互接続は、信号毎の個々の前置増幅器を可能にし、これに対して、膜に沿った信号線は、下方の金属層によってシールドされる。
【００６４】
マルチビーム装置
図９は、本出願人（代理人）の特許文献７に開示されている種類と同様のマルチビーム装置９００に関連する発明を示している。図３には、平行配列または並列配列で配置されかつターゲット４１に同時に作用するように設計される３つのコラム９１が示されている。コラム９１の数は、個々の機器に応じて様々であり得る。コラムには、いくつかの中央開口部を有する共通の保護隔壁手段９５が設けられ、より具体的には、１つの中央開口部９０がコラム毎に設けられる。他の点では、コラム９１の各々の構成要素は図１の装置１００の構成要素に対応する。
【００６５】
図１０は、この保護隔壁手段９５の可能な１つの実装、すなわち、前記保護隔壁手段の側面に接合された（このために、ウエハの形状は適切に切断する必要があり得る）いくつかのウエハ９６からなる前記保護隔壁手段を示している。ウエハ９６は、例えば、図６ｂに示されている種類であるが、本発明による保護隔壁に適切な他の任意の方法で実現することが可能である。中央開口部９０に加えて、ポンプラインまたは測定システムのような特定の目的のために、追加の開口部９９を設け得る。
【図面の簡単な説明】
【００６６】
【図１】図１は、本発明による保護隔壁を組み込んでいる粒子ビーム露光装置の概略図である。
【図２】図２は、第１の実施形態による保護隔壁の図面である。
【図３】図３は、保護隔壁に開口部を形成するための自動決定工程の図面である。
【図４】図４は、分割されたターゲット空間を有する第２の実施形態の保護隔壁の図面である。
【図５】図５は、追加の処理ガス入口を有する第３の実施形態の図面である。
【図６ａ】図６ａは、簡単な中央開口部を有する保護隔壁の図面である。
【図６ｂ】図６ｂは、部分的に透過する膜を有する保護隔壁の図面である。
【図６ｃ】図６ｃは、細分化された中央開口部を有する保護隔壁の図面である。
【図７】図７は、保護隔壁なしの例と、図９ａの保護隔壁を有する例と、図９ｂの保護隔壁を有する例とについて示されている、粒子の霧化時における強度分布の種々の例を示している。
【図８】図８は、粒子の種々の例示的な軌道による後方散乱の概略図である。
【図９】図９は、共通の保護隔壁を組み込んでいるマルチビーム露光装置の概略図である。
【図１０】図１０は、図９の保護隔壁の部分詳細図である。
【符号の説明】
【００６７】
１１  電子源
１３  コンデンサレンズシステム
１５  保護隔壁
１６  第２の隔壁
１７  吸収プレート
２１  複数の開口部
２３  電極
２４  装着リング
２５  保護隔壁
２６  第２の隔壁
２７  リング開口部
３３  静電レンズ
４０  ウエハステージ
４１  基板
４４  ターゲット空間ハウジング
４５  保護隔壁
６０ａ  中央開口部
６０ｂ  中央開口部
６０ｃ  アレイ
６１ａ  吸収膜
６１ｂ  膜
６２  部分的に透過する膜
６５  別形態
６５ａ  第１の別形態
６５ｂ  別形態
６５ｃ  他の別形態
９０  １つの中央開口部
９１  ３つのコラム
９５  保護隔壁手段
９６  いくつかのウエハ
９９  追加の開口部
１００  装置
１０１  照明システム
１０２  ＰＤシステム
１０３  投影システム
１０４  ターゲットステーション
４３０  ポンプライン
４４０  ポンプライン
４４１  ガス供給ライン
５４１  ガスノズル
９００  マルチビーム装置
ｃ１  交差部
ｃ２  交差部
ｃｘ  光軸
ｄｗ  開口直径
ｄｗ１  幅
ｄｗ２  より小さい幅
ｄｗ３  関連する幅
Ｄ０  バックグラウンドドーズ
Ｄ１ａ  バックグラウンドドーズ
Ｄ１ｂ  バックグラウンドドーズ
ｅｗ  幅
ｆｗ  画像領域
ｌｂ  リソグラフィビーム
ｐ１  粒子
ｐ２  粒子
ｐ３  粒子
ｐ４  粒子
ｐ５  粒子
ｐｂ  リソグラフィビーム
ｚｄ  距離
【図１】
2008112999.tif 000003
【図２】
2008112999.tif 000004
【図３】
2008112999.tif 000005
【図４】
2008112999.tif 000006
【図５】
2008112999.tif 000007
【図６ａ】
2008112999.tif 000008
【図６ｂ】
2008112999.tif 000009
【図６ｃ】
2008112999.tif 000010
【図７】
2008112999.tif 000011
【図８】
2008112999.tif 000012
【図９】
2008112999.tif 000013
【図１０】
2008112999.tif 000014
【外国語明細書】
2008112999.tif 000015
2008112999.tif 000016
2008112999.tif 000017
2008112999.tif 000018
2008112999.tif 000019
2008112999.tif 000020
2008112999.tif 000021
2008112999.tif 000022
2008112999.tif 000023
2008112999.tif 000024
2008112999.tif 000025
2008112999.tif 000026
2008112999.tif 000027
2008112999.tif 000028
2008112999.tif 000029
2008112999.tif 000030
2008112999.tif 000031
2008112999.tif 000032
2008112999.tif 000033
2008112999.tif 000034
2008112999.tif 000035
2008112999.tif 000036
2008112999.tif 000037
2008112999.tif 000038
2008112999.tif 000039
2008112999.tif 000040
2008112999.tif 000041
2008112999.tif 000042
2008112999.tif 000043
2008112999.tif 000044
2008112999.tif 000045
2008112999.tif 000046
2008112999.tif 000047
2008112999.tif 000048